(57)【要約】【課題】毛布等の掃除機による吸引清掃において、毛布等を器具内に固定する事により、毛布等が掃除機の吸引力によりよじれたり捲れたりすることなく、平面性を保持したまま十分な吸引清掃を行う事を可能にする。【解決手段】毛布等よりひとまわり大きく、軽量かつ堅固な四角い枠の寝具等清掃補助器具を構成し、枠の四隅及びその中間部付近に、毛布等を挟むクリップを設け、これにより毛布の四隅及びその中間部を挟み、各クリップは本体へ紐でつながると共に本体にはその紐の長さを調整する機構を有する。これらにより毛布等は寝具等清掃補助器具内に引っ張りながら固定される。器具内に引っ張りながら固定された毛布等を掃除機により吸引清掃する事で、毛布等はよじれたり捲れたりすることなく、器具内で平面性を保持したまま掃除機による吸引清掃を行う事ができる。【選択図】図３
2010273694.tif 000002
【特許請求の範囲】
【請求項１】
毛布及びタオルケット等寝具類（以下、毛布等と記す）を、掃除機により吸引清掃する際に、毛布等の四隅及び四隅の中間部付近を挟む毛布等固定クリップを有し、毛布等を毛布等固定クリップにより挟み、引っ張りながら器具内に固定する事によって、掃除機で毛布等を吸引清掃する際の毛布等のよじれや捲れあがりを防止し、掃除機による吸引清掃において毛布等の平面性を保持する寝具等清掃補助器具。
【請求項２】
毛布等固定クリップと寝具等清掃補助器具の躯体は、紐又はゴム紐又はバンド等（以下、紐と記す）を介して連結され、躯体には紐の長さを自由に調整できる調整装置を有し規格サイズの毛布等はもとより毛布の規格サイズより小さなタオルケット等に対しても、そのサイズに合わせて紐を調整する事ができる請求項１の寝具等清掃補助器具。
【請求項３】
おおよそ３６０度可動し、毛布等を寝具等清掃補助器具に固定したまま、毛布等の表面、裏面のどちらでも自在に折り畳みの外側、内側にもってくる事ができる折り畳み可動部を有し、収納時には折り畳んで収納する事ができる請求項１の寝具等清掃補助器具。
【請求項４】
本体に対して取り外し可能な支持棒を、本体の中央部に中央支持棒として有する請求項１の寝具等清掃補助器具。
【請求項５】
寝具等清掃補助器具の横方向の躯体は、鞘部と引出部から構成され、使用時には毛布等の大きさに応じて鞘部から引出部が引き出されて使用され、収納時には引出部を鞘部に格納する事により収納時のサイズを小さくする事ができる請求項１の寝具等清掃補助器具。
【請求項６】
鞘部と引出部から構成され、使用時には毛布等の大きさに応じて鞘部から引出部が引き出されて使用され、収納時には引出部を鞘部に格納する事により収納時のサイズを小さくする事ができ、その両方または片方の端部には、寝具等清掃補助器具本体に取り外し可能とする伸縮可動部を有する中央支持棒を有する請求項１の寝具等清掃補助器具。
【発明の詳細な説明】
【技術分野】
【０００１】
本発明は、毛布及びタオルケット等の寝具等を掃除機を用いて清掃する場合において、掃除機の吸引に対して毛布等がよれたり捲れたりしないように毛布等を固定する器具に関するものである。
【背景技術】
【０００２】
寝具類にはダニが大量発生しやすく、日照の良好な日に天日に寝具類を干し、日がかげる前に寝具類を取り込み、掃除機により天日干しにより死滅又は弱体化したダニやホコリを吸引除去することが、ダニの大量発生を防ぐ良好な手段として認められるようになって久しい。
【０００３】
以前は、寝具の天日干しの際に布団たたきで布団を叩き、ホコリを出す事がダニを除去する有効な手段と思われていたが、布団たたきで叩いた場合、ホコリは布団からまき上がるもののダニ自体は叩く事によってより細かく粉砕され、むしろ布団に粉砕されたダニのかけらが絡み、無数に粉砕されたダニの死骸が、日常の寝具の使用の中で人体に吸い込まれ健康障害を引きおこすと共に、その後のダニの繁殖を助長することになる事が知られるようになってきた。
【０００４】
しかしながら、寝具類に掃除機をかける場合、敷き布団や掛け布団はある程度の重みがあり、掃除機の吸引作業においてよれたり捲れたりすることがあまり無いが、毛布及びタオルケット等の比較的薄手の寝具等（以下、毛布等と記す）に掃除機をかける場合においては、その吸引力が毛布等の自重に勝り、毛布等の掃除機掛けにおいては、容易によれたり捲れたりして良好な状況で毛布等に掃除機をかける事が出来ないものである。
【０００５】
毛布等の掃除機掛けにおいて、上記の問題を解決するにあたり、これ迄に掃除機掛けの際に毛布等が吸い込み口に密着してよれたり捲れたりしないように掃除機の吸い込み口を改良したもの（特許文献１）や毛布等の掃除機掛けの際に毛布等を押さえる事によって掃除機の吸引力に対して毛布等がよれたり捲れたりしないようにした清掃補助器具（特許文献２）が開発されてきた。
【先行技術文献】
【特許文献】
【０００６】
【特許文献１】特開平７−１２４０８４号公報
【０００７】
【特許文献２】特開２００１−２４５８３０号公報
【発明の概要】
【発明が解決しようとする課題】
【０００８】
しかしながら、掃除機の吸い込み口を改良したものによる吸引においても自重の軽い毛布等はその吸引力に対してよれたり捲れたりする事が完全に無くなったものではなかった。また、毛布等を押さえる清掃補助器具においては、掃除機の吸い込み口の移動に合わせてもう一方の手でその器具を移動させなければならないので、片方の手で毛布等を器具で押さえ、もう片方の手で掃除機を掛けるという異なった作業を窮屈な姿勢で行わなければならず、場合によっては腰痛につながる事もある。
【０００９】
本発明の寝具等清掃補助器具は、毛布等の自重の軽い寝具類を本発明の寝具等清掃補助器具内に引っ張りながら固定する事によって、毛布等を広げた状態または器具に固定しながら器具と共に折り畳んだ状態で、寝具類の清掃用に改良された掃除機の吸引口を用いずとも、普通の掃除機の吸引口で、尚かつその吸引力を保持したままの状態で、毛布等がよれたり捲れたりしないで良好に掃除機を掛け、ダニやその死骸やホコリを十分に吸引除去する事を可能としたものである。
【課題を解決するための手段】
【００１０】
毛布等よりも一回り大きく、軽量かつ堅牢な枠を構成し、枠の四隅及び四隅の中間部付近に毛布等を引っ張りながら固定するクリップを設け、広げた毛布等をクリップで挟み枠内に引っ張りながら固定する事によって、掃除機の吸引に対して毛布等がよれたり捲れたりすることなく掃除機による毛布等への十分な清掃がおこなえる寝具等清掃補助器具を提供する。
【００１１】
また、本発明の寝具等清掃補助器具は屈曲可動部を有し、折り畳んで使用する事も出来るので、室内に毛布等を１枚広げるに十分なスペースが無い場合でも、毛布等を半分に折り畳んだ大きさより少し大きなスペースを確保する事が出来れば、本発明による寝具等清掃補助器具を用いて毛布等がよれたり捲れたりすることなく掃除機による毛布等の清掃を良好に行う事が出来る。
【発明の効果】
【００１２】
本発明の寝具等清掃補助器具を使用する事によって、毛布等を本器具内に固定する事が出来、これにより毛布等に対して掃除機の吸引力を十分に活かした清掃を簡単かつ確実に行う事が出来る。このため、毛布等に発生したダニやその死骸やホコリに対してこれ迄に無く非常に有効な吸引除去を行う事が可能となる。これにより、従前より言われているダニによるアトピー症状の悪化に対して、非常に大きな抑止力を発揮する事が期待できるものである。また、寝具に発生したダニは就寝の際に睡眠を妨害し不眠症の原因の一つとなり得るため、その清掃除去によりダニによる不眠症を防止し、快適な睡眠を確保する事が期待できるものである。
【図面の簡単な説明】
【００１３】
【図１】図１は寝具等清掃補助器具の実施例を示した平面図である。中央支持棒９を見せるために毛布等１２は破線で描き透過させた。
【図２】図２は図１に示したA-A’側面図及びB-B’側面図である。
【図３】図３は寝具等清掃補助器具の実施例の斜視図である。毛布等１２及び掃除機吸い込み口部１４は破線で描き透過させた。
【図４】図４は寝具等清掃補助器具の角部の毛布等固定クリップ４及びクリップ４と本体をつなぐ紐５と紐５を伸縮調整する紐伸縮装置６の実施の一例である。同部の側面図として、C-C’側面図、D-D’側面図、E-E’側面図により本実施例の形状を示した。
【図５】図５は寝具等清掃補助器具の横方向の中間部の毛布等固定クリップ４及びクリップ４と本体をつなぐ紐５と紐５を伸縮調整する紐伸縮装置７の実施の一例である。同部の側面図として、F-F’側面図、G-G’側面図、H-H’側面図により本実施例の形状を示した。
【図６】図６は寝具等清掃補助器具の縦方向の中間部の毛布等固定クリップ４及びクリップ４と本体をつなぐ紐５と紐５を伸縮調整する紐伸縮装置８の実施の一例である。同部の側面図として、J-J’側面図、K-K’側面図より本実施例の形状を示した。また、近接する折り曲げ部１０の可動図も合わせて示した。
【図７】図７は中央支持棒９の実施の一例である。同部の側面図として、I-I’側面図により本実施例の形状を示した。また、中央支持棒９の取り外し用伸縮可動部１１の伸縮可動の実施例を示した。
【図８】図８は寝具等清掃補助器具の実施例を示した平面図であり、ここでは、サイズの小さなタオルケット等１３の設置の一例を示した。タオルケット等１３は破線で描き透過させた。
【図９】図９は寝具等清掃補助器具を折り畳んで使用した際の実施例の斜視図である。毛布等１２は破線で描き透過させた。反対にも自在に折り畳む事が出来る事を矢印で示した。
【図１０】図１０は寝具等清掃補助器具の収納の際の実施例を斜視図として示したものである。
【発明を実施するための形態】
【００１４】
以下、本発明の実施の形態を図１〜図１０に基づいて説明する。
【実施例】
【００１５】
図１は、本発明の実施例の平面図である。本体１は使用時に破線で示された毛布等１２より一回り大きく構成され、毛布等固定クリップ４（以下、クリップ４と記載）で毛布等１２の四隅及び四隅の中間部を挟み、紐５によりクリップ４と本体は連結される。本体部には、紐５の紐伸縮装置６・７・８があり、紐伸縮装置６・７・８により紐５のそれぞれの長さを調整する事が出来る。これにより毛布等１２をクリップ４で挟んだ後に、紐伸縮装置６・７・８により紐５の長さを個別に伸縮調整することにより毛布等１２が本体１に対して引っ張られながら固定される事となる。これにより毛布等１２は、掃除機による清掃に対して、本発明の器具内に固定され、吸引の影響によるよじれや捲れあがりが発生することなく、掃除機の吸引に対して平面性を維持しつつ吸引清掃を行う事が可能となる。
【００１６】
鞘管２及び引出管３は、本体を構成する横管である。鞘管２は引出管３よりも一回り大きくなっており、引出管３を格納する鞘管としての役割も有する。引出管３は図１０に示される収納時には鞘管２の中に格納される。これにより収納時の省スペース化を図る事が出来る。使用時においては、引出管３は毛布等１２のサイズに応じて鞘管２から必要量引き出されて用いられる。
【００１７】
中央支持棒９も同様に鞘管２と引出管３から構成され、本体１の使用時の横幅の広さに応じた長さを形成保持し本体１の中央部分に設置され寝具等清掃補助器具使用時の強度を確保する事が出来る。
【００１８】
中央支持棒９の端部には図７に示される伸縮可動部１１を持ち、これを伸縮させる事により本体の設置部への取り付け・取り外しを任意に行う事が出来る。
【００１９】
紐５の本体における設置位置であるが、紐伸縮装置６部と紐伸縮装置８部においては、本体を貫通する形でクリップ４へ紐５をつなげる事が可能であるが、紐伸縮装置７部においては、紐５が本体を貫通すると引出管３が鞘管２に対して自在に引き出される事が出来なくなるため、図５に示すように紐伸縮装置部７の紐５はクリップ４に接続されるに際して、本体を貫通する形ではなく、本体の外周に沿って配置されクリップ４に接続されるものとした。
【００２０】
折り曲げ部１０は、本体の縦方向の両側中央部に設置され、毛布等１２を本体に固定した状態で自在に折り曲げる事を可能とする。折り曲げ部１０の可動範囲図を図６に示す。また、図９は折り曲げ部１０を折り曲げて使用した場合の斜視図であり、図１０は折り曲げ部１０を折り曲げて収納した場合の斜視図である。
【００２１】
以下、上記の構成の実施例を説明する。本発明は、毛布等を掃除機により吸引清掃する際に、毛布等が掃除機の吸引力によりよじれたり捲れあがったりして良好な清掃がおこなえない事に対して、本発明の寝具等清掃補助器具を使用し、毛布等を本発明器具に設置する事により、毛布等が掃除機の吸引清掃の際によじれたり捲れたりせずにその平面性を維持し、掃除機による良好な吸引清掃がおこなえる事を実現するための器具である。
【００２２】
本発明の寝具等清掃補助器具を床面に配置する。図１は床面に配置された寝具等清掃補助器具の使用状況を上方から見た平面図である。毛布等１２を設置するため、毛布等１２より一回り大きめにして設置しておく。設置した本器具に対して、毛布等１２をその内側に広げてクリップ４で毛布等１２の四隅及び四隅の中間部を挟む。この状態ではまだ毛布等１２は、本器具の中で単にクリップ４に各部位を挟まれただけである。次に、紐伸縮装置６・７・８により紐５をそれぞれ毛布等１２が本器具の内側でクリップ４を介して引っ張られてその生地を傷めない程度に器具内に張り広げられるように調整する。この時中央支持棒９は、毛布等１２の下側に設置されている。
【００２３】
上記の状態で、寝具等清掃補助器具内に張り広げられた毛布等１２に掃除機を掛けて吸引清掃を行う事が出来る。毛布等１２は器具内に張り広げられて固定されているので、掃除機の吸引に対してよじれたり捲れたりすることなく、平面性を維持され、掃除機による良好な吸引清掃を行う事が出来る。掃除機の吸引に対してよじれが出る場合は、紐伸縮装置６・７・８を用いて適宜に毛布等１２の引っ張り強度を調整する事が出来る。これにより掃除機の吸引清掃中によじれが生じた場合にもすぐに対応する事が出来、毛布等１２の平面性を保持した掃除機による吸引清掃を行う事が出来る。
【００２４】
上記により毛布等１２の上面の掃除機による吸引清掃が完了する。未清掃の裏面の清掃を行う際は、毛布等１２を本器具に固定設置したそのままの状態で本器具を裏返す。裏返すとこれ迄毛布等１２の下側にあった中央支持棒９が今度は毛布等１２の上側に来る事になる。この場合吸引清掃の邪魔となるので中央支持棒９を伸縮可動部１１を用いて一度取り外し、毛布等１２の下側に持って行き再び本器具に設置する。また、中央支持棒９は、本器具を裏返す際の本器具の強度の保持を第一の目的として設置されているものであるので、裏返した後は取り外して掃除機による吸引清掃を行っても良い。
【００２５】
上記は室内に本発明の寝具等清掃補助器具を広げた状態で掃除機による清掃がおこなえる場合の実施例の説明であるが、寝具等清掃補助器具を室内に広げてしまうと掃除機を置くスペースがない場合等においては、本器具に毛布等１２を設置した後、折り曲げ部１０を用いて図９の様に毛布等１２を本器具に設置したまま折り曲げても良い。本器具を折り曲げた状態で使用する事で、本器具を広げた場合の半分のスペースで、毛布等１２に掃除機による吸引清掃を行う事が出来る。
【００２６】
この場合、中央支持棒９は毛布等１２の折った内側に来るように本器具を折り曲げる。また、本器具を折り曲げた時中央支持棒９が折り曲げた毛布等１２の外側に来た場合は、中央支持棒９の伸縮可動部１１を用いて中央支持棒９を一度取り外し、毛布等１２の内側に持って行き設置し直しても良い。
【００２７】
本器具を半分に折り曲げて清掃する場合、毛布等１２は本器具と同様に折り曲げられるので、折り曲げられた毛布の面は４面となる。掃除機による吸引清掃を、折り曲げた時一番上に来る面に対して行い、その後本器具ごと折り曲げたまま裏返し、一番下に来ていた毛布等１２の面を今度は一番上に持って来て掃除機による吸引清掃を行う。それが終了したら、今度はまだ清掃されていない毛布等１２の折り曲げた内側となっている部分を表側にもってくるために本器具の折り曲げ部１０を用いて本器具を毛布等１２ごと反対側に折り曲げる。これにより、清掃が終わった表側が今度は内側になり、まだ清掃されていない内側が表側になる。この時これ迄毛布等１２の内側にあった中央支持棒９が毛布等１２の表側に来るので、中央支持棒９の伸縮可動部１１を用いて一度中央支持棒９を本体から外し、毛布等１２の内側に設置し直す。これにより新たに表面となった毛布等１２の面を先程と同様に掃除機により吸引清掃する事が出来る。
【００２８】
上記は、本器具をまず床面に広げて設置しそこに毛布等１２を設置して行く場合の説明を行ったが、室内の状況においては、本器具を広げるスペースが確保できず、本器具を折り畳んだスペースしか確保できない場合がある。この場合においても本器具を用いて毛布等１２の掃除機による吸引清掃を行う事が可能である。この場合、本器具を折り曲げた状態でまず室内に設置し、その後、毛布等１２を本器具に合わせて折り曲げて設置しても良い。本器具は折り曲げた状態で毛布等１２を設置する事も可能なので、毛布等を１枚大に広げるスペースがない室内においても問題なく使用する事が出来る。
【００２９】
本発明の寝具等清掃補助器具は、クリップ４に接続されている紐５の長さを紐伸縮装置６・７・８により任意に調整する事が出来るので、毛布等の規格サイズより小さなタオルケットのようなものに対しても使用することが出来る。その使用の一例が図８である。図８は、破線で現したタオルケット等１３を本器具の中央部でクリップ４と紐５で固定した実施例を示したものである。図示はしていないが本器具の内側であれば、紐伸縮装置６・７・８を調整する事により、タオルケット等１３を本器具内の任意の場所に寄せて設置する事も可能である。
【００３０】
毛布等１２の清掃が完了したら、クリップ４から毛布等１２を外す。毛布等１２を外した本器具は、折り畳み部１０で折り畳むと共に引出管３を鞘管２にそれぞれ収納する。これにより収納時のスペースを小さくする事が出来る。
【００３１】
また、収納時には紐伸縮装置６・７・８により紐５を短くし、クリップ４を本体側に引き寄せておくとより収納状態が良くなる。
【００３２】
本発明の寝具等清掃補助器具の実施例として、本体を断面が円形の円柱状のパイプの構成として図示したが、本体を構成するパイプとしては、断面が矩形である四角柱のパイプでも良い。又、本体を構成する材質においても、アルミ、ステンレス、鉄等の軽量鋼材及び、塩ビ材、カーボン材、木材等いずれの材質でも構成可能である。
【産業上の利用可能性】
【００３３】
本発明の寝具等清掃補助器具を用いて比較的薄手の毛布やタオルケット等を、掃除機の吸引力に対しても変形しないように平面性を保持して本器具内に固定する事によって、本来掃除機が持つ強い吸引力を発揮させながら、容易に毛布等の掃除機による吸引清掃を行う事ができる。これにより、寝具等のダニやダニの死骸やホコリをより確実に除去する事ができ、この事は、日常生活の快適さに大いに寄与するものであると共に、そこに創り出される衛生的な生活環境は、ダニやダニの死骸やホコリによるアトピーの悪化を抑止する効果や、ダニにより快適な睡眠を妨害される事による不眠症に対しても効果をもつ。
【符号の説明】
【００３４】
１      寝具等清掃補助器具本体
２      横管のうち鞘管
３      横管のうち引出管
４      毛布等固定クリップ
５      紐
６      紐伸縮装置（本体角部）
７      紐伸縮装置（本体横管部）
８      紐伸縮装置（本体縦管部）
９      中央支持棒
１０    折り曲げ部
１１    伸縮可動部
１２    毛布等。破線で描き透過図とした。
１３    タオルケット等。破線で描き透過図とした。
１４    掃除機吸い込み口部。破線で描き透過図とした。
【図１】
2010273694.tif 000003
【図２】
2010273694.tif 000004
【図３】
2010273694.tif 000005
【図４】
2010273694.tif 000006
【図５】
2010273694.tif 000007
【図６】
2010273694.tif 000008
【図７】
2010273694.tif 000009
【図８】
2010273694.tif 000010
【図９】
2010273694.tif 000011
【図１０】
2010273694.tif 000012